(57)【要約】      （修正有）【課題】ディスプレイおよび操作部を含む可動部材の傾き角度を容易に設定することが可能であり、且つ少ない部品点数から容易に組立てできる多段階式開閉装置を提供する。【解決手段】ベース部材２０と、ベース部材２０に対して第一の支点を中心として回動可能なディスプレイおよび操作パネルを含む可動部材３０とからなり、ベース部材２０には第一の支点から離れる方向に第一凹溝、複数の凸状リブ２３、第二凹溝２４が順に形成され、可動部材３０には第二の支点に対して回動可能な第一支持部材４０および第一支持部材４０に回動可能に嵌合された第二支持部材５０が具備され、可動部材３０を閉じた状態から所定の角度傾けることにより、順次所定の角度での角度設定が可能となり、また最大角度傾けた後、可動部材３０を閉じる方向に傾けることによりスムーズに可動部材３０を初期の閉じた状態に戻すことが可能となる。【選択図】図１
2010282988.tif 000002
【特許請求の範囲】
【請求項１】
ベース部材と可動部材とが第一の支点を中心に回動することにより開閉する開閉装置であり、前記ベース部材の前記可動部材に対向するベース部材可動対向面には前記第一の支点から離れる方向に第一凹溝、少なくとも一つの凸部、第二凹溝が順次形成され、前記可動部材のベース部材に対向する可動部材ベース対向面には一端に設けられた第二の支点を中心として回動可能な第一支持部材が具備され、該第一支持部材の前記ベース部材に対向する第一支持部材ベース対向面には第一支持部材の回動方向と同方向に回動し前記回動の中心となる第三の支点が前記第一支持部材の他端から一定距離に位置され且つ前記第一支持部材ベース対抗面における前記一定距離を有する面によって回動角度を制限される第二支持部材が具備され、前記ベース部材および前記第一支持部材の少なくともどちらか一方には前記第一支持部材の前記他端と前記凸部との干渉を無くす干渉防止凸部が設けられ、前記可動部材の回動による前記ベース部材可動対抗面と前記可動部材ベース対向面からなる角度の増加に伴い前記第二支持部材は前記第二凹溝に侵入した状態を経た後に前記凸部を乗り越え、その後前記第一凹溝へと侵入する第一の過程を有し、該第一の過程においては前記第二支持部材の前記第二凹溝方向への進行が前記凸部によって規制され、前記可動部材の回動による前記ベース部材可動対抗面と前記可動部材ベース対向面からなる角度の減少に伴っては前記第二支持部材は前記第一凹溝に侵入した状態を経た後に前記凸部を乗り越え、その後前記第二凹溝へと侵入する第二の過程を有し、該第二の過程においては前記第二支持部材の前記第二凹溝方向への進行が前記凸部によって規制されないことを特徴とする多段階式開閉装置。
【請求項２】
前記第一の支点、前記第二の支点、および前記第三の支点は一定の長さを有する軸であることを特徴とする請求項１に記載の多段階式開閉装置。  
【請求項３】
前記ベース部材には少なくとも一つの開口溝が形成され、前記第一支持部材の前記第一支持部材ベース対向面からは少なくとも一つの係止片が前記開口溝に摺動可能に挿入され、前記係止片の端部が前記開口溝の溝幅より大きく形成されていることにより前記係止片の端部が前記開口溝から抜け出ることのないことを特徴とする請求項１、請求項２に記載の多段階式開閉装置。  
【請求項４】
前記第一支持部材は弾性部材により前記ベース部材の方向に回転せしめる方向に押圧され、第一支持部材または第二支持部材がベース部材に接地されていることを特徴とする請求項１、請求項２、請求項３に記載の多段階式開閉装置。 
【発明の詳細な説明】
【技術分野】
【０００１】
本発明は、各種電気機器に組み入れられる操作部または表示部等の開閉装置に係り、特に複数段階の開閉角度に容易に設定でき、また開閉装置に係わる部品点数の低減、ならびに部品構造の簡易化が可能となる構造に関するものである。
【背景技術】
【０００２】
従来、この種の多段式開閉機構は図１１に示すように、各種電気機器の本体（図示せず）に組み込まれる或いは本体の一部を形成する固定部（１００）に対しディスプレイ又は操作パネル等を含む可動部（１０１）が一軸（１０２）を支点にして複数の開閉角度をもって多段階で開閉する機構であり、以下に述べる構成および動作がなされるものである。  
【０００３】
図１１（ａ）は電気機器本体に組み込まれる或いは電気機器本体の一部に形成される固定部（１００）に対しディスプレイまたは操作パネル等を含む可動部（１０１）が一軸（１０２）を支点として閉じられた状態に載置されており、この状態においては可動部（１０１）に軸（１０３）を支点として回動可能に連結された可動支持部（１０４）の端部（１０５）が、固定部の側面（紙面垂直方向）に形成された案内凹部（１０６）において一軸（１０２）から最も離れた位置に置かれた状態となっている。なお、図１１の右側の図は従来の開閉機構の全体を示すものであり、左側の図は端部（１０５）と固定部（１００）との連結を端部（１０５）付近を拡大したものである。  
【０００４】
次に可動部（１０１）を上方へ回動することにより図１１（ｂ）に示すように可動支持部（１０４）も立ち上がり、端部（１０５）が案内凹部（１０６）に形成された第一ストッパー凹部（１０７）を経て第二ストッパー凹部（１０８）に留まる。そして第二ストッパー凹部（１０８）に侵入する端部（１０５）の侵入方向側の第二ストッパー凹部の壁が垂直に切り立っていることにより端部（１０５）が侵入方向へ戻ることができなくなり、この状態で可動部（１０１）が固定部（１００）に対して一定の角度をもって開いた状態に維持される。またこの状態は第一ストッパー凹部（１０７）においても同様となる。  
【０００５】
そしてこの可動部（１０１）のある角度をもって維持された状態を解き、初期状態である可動部（１０１）が閉じた状態に戻すために可動部（１０１）をさらに上方へ回動すると、図１１（ｃ）に示すように可動支持部（１０４）の端部（１０５）は案内凹部（１０６）に形成されたスロープ（１０９）に沿って斜め上方へと移動し、案内凹部（１０６）の深さ方向（紙面垂直方向）に形成された扉用軸（１１０）を中心に開閉し、端部（１０５）をスロープ（１０９）の下側からのみ通過することを可能にする開閉扉（１１１）を通って図１１（ｄ）に示すように案内凹部（１０６）の前記一軸（１０２）に最も近い溝部（１１２）に留まる。そしてこの開閉扉（１１１）はスロープ（１０９）との間に僅かな隙間をもって閉じた状態となる。  
【０００６】
この状態から可動部（１０１）を閉じる方向へ回動させると、前記開閉扉（１１１）はスロープ（１０９）との間で閉じた状態となっているため、端部（１０５）は開閉扉（１１１）の上面に沿って移動を行い、開閉扉（１１１）に連続するように形成された水平リブ（１１３）に沿って一軸（１０２）から離れる方向にさらに移動し、水平リブ（１１３）の端部から落下して図１１（ａ）の位置へと戻り、可動部（１０１）は初期の閉じた状態となる。  
【０００７】
このようにしてディスプレイまたは操作パネル等を含む可動部（１０１）が電気機器本体の固定部（１００）に対して多段階の角度をもって開いた状態を維持することが可能となり、また可動部（１０１）が閉じた状態に戻ることを可能にするものである。
【先行技術文献】
【特許文献】
【０００８】
特開２００５−２５０５７号公報
【発明の概要】
【発明が解決しようとする課題】
【０００９】
しかしながら、前述の従来例では、案内凹部（１０６）を開閉方向に対して垂直な固定部（１００）の側面に形成する必要があり、これによって固定部（１００）を作るための金型構造は複雑なものとなり、それによって部品コストは高いものとなる。  
【００１０】
また、上記案内凹部（１０６）に組み入れる開閉扉（１１１）は案内凹部（１０６）の深さ方向に設けた軸に対して回動可能とし、また端部（１０５）の一方向からの侵入のみを可能とする構造が必要であるため、複雑な組立てが必要となり、また部品点数においても多くのものが必要となる。  
【００１１】
さらに可動支持部（１０４）と端部（１０５）の固定部（１００）への取り付けも案内凹部（１０６）の深さ方向への組み込みが必要となるため非常に複雑となり、そのために可動支持部（１０４）または端部（１０５）を複数の部品で構成しなければならない場合も有り得る。  
【００１２】
本発明は、上述の問題点に鑑みてなされたもので、各種電気機器の本体に組み込まれる或いは本体の一部を形成する固定部に対しディスプレイまたは操作パネル等を含む可動部が複数段階の開閉角度に容易に設定でき、且つその構成が少ない部品点数によって容易に組立て可能である簡易的構造からなる多段式開閉装置を提供することを目的とするものである。
【課題を解決するための手段】
【００１３】
請求項１記載の発明は、ベース部材と可動部材とが第一の支点を中心に回動することにより開閉する開閉装置であり、前記ベース部材の前記可動部材に対向するベース部材可動対向面には前記第一の支点から離れる方向に第一凹溝、少なくとも一つの凸部、第二凹溝が順次形成され、前記可動部材のベース部材に対向する可動部材ベース対向面には一端に設けられた第二の支点を中心として回動可能な第一支持部材が具備され、該第一支持部材の前記ベース部材に対向する第一支持部材ベース対向面には第一支持部材の回動方向と同方向に回動し前記回動の中心となる第三の支点が前記第一支持部材の他端から一定距離に位置され且つ前記第一支持部材ベース対抗面における前記一定距離を有する面によって回動角度を制限される第二支持部材が具備され、前記ベース部材および前記第一支持部材の少なくともどちらか一方には前記第一支持部材の前記他端と前記凸部との干渉を無くす干渉防止凸部が設けられ、前記可動部材の回動による前記ベース部材可動対抗面と前記可動部材ベース対向面からなる角度の増加に伴い前記第二支持部材は前記第二凹溝に侵入した状態を経た後に前記凸部を乗り越え、その後前記第一凹溝へと侵入する第一の過程を有し、該第一の過程においては前記第二支持部材の前記第二凹溝方向への進行が前記凸部によって規制され、前記可動部材の回動による前記ベース部材可動対抗面と前記可動部材ベース対向面からなる角度の減少に伴っては前記第二支持部材は前記第一凹溝に侵入した状態を経た後に前記凸部を乗り越え、その後前記第二凹溝へと侵入する第二の過程を有し、該第二の過程においては前記第二支持部材の前記第二凹溝方向への進行が前記凸部によって規制されないことを特徴とする。  
【００１４】
請求項２記載の発明は、請求項１の前記第一の支点、前記第二の支点、および前記第三の支点は一定の長さを有する軸であることを特徴とする。  
【００１５】
請求項３記載の発明は、請求項１、請求項２の前記ベース部材には少なくとも一つの開口溝が形成され、前記第一支持部材の前記第一支持部材ベース対向面からは少なくとも一つの係止片が前記開口溝に摺動可能に挿入され、前記係止片の端部が前記開口溝の溝幅より大きく形成されていることにより前記係止片の端部が前記開口溝から抜け出ることのないことを特徴とする。  
【００１６】
請求項４記載の発明は、請求項１、請求項２、請求項３の前記第一支持部材は弾性部材により前記ベース部材の方向に回転せしめる方向に押圧され、第一支持部材または第二支持部材がベース部材に接地されていることを特徴とする。
【発明の効果】
【００１７】
請求項１の発明によれば、可動部が開く際に第二支持部材は第二凹溝、少なくとも一つの凸状リブ、第一凹溝の順で通過し、少なくとも一つの凸状リブを越えた後に可動部は自重にて閉じる方向に傾こうとするが、第二支持部材は少なくとも一つの凸状リブと第一支持部材における第一支持部材ベース対向面の前記一定距離を有する面によって第二支持部材の回転は抑えられ、可動部は固定部に対して一定の角度をもって位置決めされた状態となり、凸状リブの数に応じて異なった角度を有して可動部が段階的に容易に位置決めされた状態となる。また、可動部が閉じる際は第二支持部材は第一凹溝、少なくとも一つの凸状リブ、第二凹溝の順で通過し、少なくとも一つの凸状リブを越える前において第二支持部材は第一支持部材ベース対向面の前記一定距離を有する面に当接する方向とは逆方向に回転して凸状リブを通過することにより可動部が一定の角度を有して位置決めされることなくスムーズに閉じた状態となる。つまり、可動部が開く際には容易に段階的な角度をもって位置決めされ、そして閉じる際には途中で位置決めされることなくスムーズに閉じた状態へと戻すことが可能となる。  
【００１８】
請求項２の発明によれば、第一の支点、第二の支点、および第三の支点が一定の長さを有する軸であることにより、可動部材、第一支持部材、第二支持部材の回動方向はぶれることなく確実な回動となり、これによって可動の所定の角度での位置決めが安定したものとなる。  
【００１９】
請求項３の発明によれば、第一支持部材の第一支持部材ベース対向面から突出する係止片により、可動部材とベース部材とがある一定以上の角度で開くことがないよう規制される。これにより可動部材が不意に開かれ、ディスプレイあるいは操作部を有する面がベース部材または電気機器本体に衝突し、破壊等のダメージを受けることを防ぐことが可能となる。  
【００２０】
請求項４の発明によれば、第一支持部材は弾性部材によりベース部材方向に回転せしめる方向に押圧されていることにより、第二支持部材が第二凹溝から抜け出され、凸状リブを越えた後には、第二支持部材はベース部材、凸状リブ、第一支持部材により回転が抑えられ、これによって可動部の一定角度での位置決めがより確実に行なわれる。  
【図面の簡単な説明】
【００２１】
【図１】本発明に係る多段式開閉装置における可動部の一定角度での位置決め状態図
【図２】本発明に係る多段式開閉装置の図１の状態における平面図
【図３】図２Ａ−Ａ箇所における断面図
【図４】図２Ｂ−Ｂ箇所における断面図
【図５】本発明に係る多段式開閉装置において可動部が閉じた状態図
【図６】本発明に係る多段式開閉装置の簡略開閉機構
【図７】ベース部材のベース部材可動対向面側斜視図
【図８】可動部材の可動部材ベース対向面側斜視図
【図９】第一支持部材の斜視図（ａ）及び斜視図（ａ）のＣ−Ｃ箇所における断面図（ｂ）
【図１０】第二支持部材の斜視図
【図１１】従来の開閉装置の開閉機構簡略図
【発明を実施するための形態】
【００２２】
次に本発明の実施形態について説明する。図１は本発明に係る多段式開閉装置における可動部の一定角度での位置決め状態図、図２は本発明に係る多段式開閉装置の図１の状態における平面図、図３は図２Ａ−Ａ箇所における断面図、図４は図２Ｂ−Ｂ箇所における断面図、図５は本発明に係る多段式開閉装置において可動部が閉じた状態図、図６は本発明に係る多段式開閉装置の簡略開閉機構、図７はベース部材のベース部材可動対向面側斜視図、図８は可動部材の可動部材ベース対向面側斜視図、図９は第一支持部材の斜視図（ａ）及び斜視図（ａ）のＣ−Ｃ箇所における断面図（ｂ）、図１０は第二支持部材の斜視図、図１１は従来の開閉装置の開閉機構簡略図である。  
【００２３】
本発明を実施した多段式開閉装置１０は、図１から図３に示すように例えばプリンター、コピー機等の各種電気機器本体（図示せず）に組み入れられた或いは一体となったベース部材２０に、一方の面に電気機器の操作パネル３１あるいは操作状況等が表示されるディスプレイ３２を有する可動部材３０が、可動部材３０の一端がベース部材２０に組み入れられ
た又は形成された第一回転軸２１を第一の支点として回転可能となるように嵌合され、そして可動部材３０の他方の面であるベース部材２０に対向する可動部材ベース対向面３５には、一端に第二の支点である第二回転軸４１を有する第一支持部材４０が第二回転軸４１が第一回転軸２１と平行になる方向で嵌合され、さらに第一支持部材４０の他端４６から一定距離Ｐの位置には第三回転軸５１を一端に有する第二支持部材５０が第三回転軸５１を第三の支点として回転可能となり且つ第三回転軸５１が第一回転軸２１と平行となるように嵌合され組み立てられる構造であり、各個品は以下のものから構成される。  
【００２４】
ベース部材２０は、ある一定箇所に可動部材３０との嵌合が可能な第一の支点である第一回転軸２１を嵌合する第一回転軸嵌合部２１１を形成または第一回転軸２１を形成する。ここでベース部材２０が各種電気機器本体に組み入れられる構造においては第一回転軸２１はベース部材２０の端部に嵌合されることが多い。そして各種電気機器本体内部に対向する面とは逆側に位置し、多くの場合第一回転軸２１を嵌合するベース部材２０の表面であるベース部材可動対向面２７には第一回転軸２１にほぼ平行となる第一凹溝２２、凸状リブ２３、第二凹溝２４が第一の支点である第一回転軸２１から離れる方向に順次形成され、凸状リブ２３においてはその数は本装置１０の開閉角度の段階数によって決定される。よって通常は複数個の凸状リブ２３が設けられることとなる。さらに凸状リブ２３の長手方向の両端には凸状リブ２３の長手方向に垂直な方向で且つ高さが凸状リブ２３よりも高く設定された干渉防止凸部２５が可動部材対抗面２７に続くテーパー２９を両端に有して形成される。また凸状リブ２３と干渉防止凸部２５との間には第一回転軸２１に垂直な方向で二本の開口溝２６がベース部材の厚みを貫通して開口される。  
【００２５】
可動部材３０は、一方の面に各種電気機器を操作するための操作パネル３１または操作状況および各種画像が表示されるディスプレイ３２を有し、可動部材３０の一端に形成された第一回転軸嵌合穴３３に第一回転軸を嵌合して可動部材３０が第一回転軸２１を第一の支点として回転、すなわちベース部材２０に対して角度を有して開くことを可能となる。そして可動部材の他方の面、すなわちベース部材２０に対向する可動部材ベース対向面３５には後述する第一支持部材４０の第二回転軸４１を嵌合させるための第一支持部嵌合穴３４が向き合うように２箇所に形成されている。また第一支持部嵌合穴３４は嵌合した第二回転軸４１が第一回転軸２１と平行な位置関係になるよう設けられている。  
【００２６】
第一支持部材４０は略長方形状の平板であり、一端には第二回転軸４１が形成され、前述の可動部材３０の第一支持部嵌合穴３４に嵌合されることによって、第一支持部材４０が第一回転軸２１に平行な第二回転軸４１を第二の支点として回転することが可能となる。そして他端４６には後述する第二支持部材５０の第三回転軸５１を嵌合させるための第二支持部材嵌合穴４４が向き合うように２箇所に形成されている。また第二支持部嵌合穴４４は嵌合した第三回転軸５１が第一回転軸２１と平行な位置関係になるように設けられている。そしてこの第二支持部嵌合穴４４は図９に示すように第一支持部材４０が可動部材３０に嵌合された際にベース部材２０に向く第一支持部材対向面４５側の他端４６から一定距離Ｐ離れた位置に形成されている。さらに第一支持部材ベース対向面４５にはベース部材２０に設けられた二本の開口溝２６に挿入され摺動可能となる２本のリブ状の係止片４２が形成されており、その係止片４２の先端である係止片端部４３は開口溝２６の幅よりも厚いものとなっているため、この係止片４２が開口溝２６から抜け出ることはない。  
【００２７】
第二支持部材５０は略長方形状の平板であり、一端には第三回転軸５１が形成され、前述の第一支持部材４０の第二支持部嵌合穴４４に嵌合されることによって、第二支持部材５０が第一回転軸２１に平行となる第三回転軸５１を第三の支点として回転することが可能となる。しかしながら前述したように第三回転軸５１が嵌合する第一支持部材４０に設けられた第二支持部材嵌合穴４４は、第一支持部材４０の第一支持部材ベース対向面４５側の他端４６から一定距離Ｐ離れた位置にあるため、第二支持部材５０は第一支持部材４０の他端４６から一定距離Ｐを有する第一支持部材ベース対向面４５側の面によって回転を規制されることとなる。  
【００２８】
次に上記の部品によって構成された多段式開閉装置１０の動作を図６の各状態図をもとに説明する。まず図６（ａ）〜（ｅ）の右側の図面は多段式開閉装置１０の各動作状態を簡略化した構造で表したものであり、左側の図面は各動作状態におけるベース部材２０と第一支持部材４０および第二支持部材５０との関係を簡略的に拡大して表したものである。  
【００２９】
まず図６（ａ）は可動部材３０が閉まった状態、つまり可動部材３０がベース部材２０に重なり合った状態であり、通常は本体電気機器が使用されておらず可動部材３０に設けられた操作パネル３１あるいはディスプレイ３２を使用または操作開始する前の状態である。このとき第一支持部材４０は紙面反時計回り方向に回転せしめられ第二支持部材５０の第三回転軸５１がベース部材２０の第二凹溝２４の上方に位置され、第二支持部材５０は自重にて自由端部５２から第二凹溝２４へと入り込む状態となっている。  
【００３０】
そして図６（ａ）の状態から図６（ｂ）の状態へと操作パネル３１あるいはディスプレイ３２を操作者が操作あるいは見易くするために可動部材３０を上方、つまりベース部材２０に嵌合された第一回転軸２１を第一の支点として紙面反時計回りに回転する方向で傾かせていくと、まず第一支持部材４０は第二回転軸４１を第二の支点として自重により紙面時計回りの方向への回転を始め、これに伴って第二支持部材５０は第二凹溝２４において第一回転軸２１の方向（紙面左方向）へと移動を開始し初め、第二支持部材５０が第二凹溝２４から抜け出る際には第二支持部材５０の移動方向の面が第二凹溝２４の第一回転軸側角部２４１に当接し、これによって第二支持部材５０は紙面反時計回りに回転し、第一支持部材４０の第一支持部材ベース対向面４５の他端４６から寸法Ｐの範囲である面によって回転規制を受けながら、且つ第一支持部材４０の紙面時計回りの回転によるベース部材２０への当接をしながら第一回転軸２１方向へ進んでいくこととなる。そしてベース部材２０の凸状リブ２３に達した際には第二支持部材５０は前述の回転規制を受けた状態で可動部材３０、第一支持部材４０および第二支持部材５０の自重に抗して凸状リブ２３を乗り越え、乗り越えた状態で可動部材３０を傾かせることを止めると、第二支持部材５０は可動部材３０の自重、第一支持部材４０の自重、第二支持部材５０の自重によるベース部材２０、凸状リブ２３からの抗力および前述の回転規制により固定された状態となり、これによって図６（ｂ）に示すように可動部材３０も一定の傾き角度で固定される。  
【００３１】
またこのように可動部材３０が一定の傾き角度で固定されている時には第二支持部材５０はベース部材２０に形成された凸状リブ２３から反力を受けている状態となり、この反力を受ける状態となるためにはベース部材２０のベース部材可動対向面２７に対して垂直となる面を第二回転軸４１を起点として作った際、前記の垂直な面とベース部材２０のベース部材可動対向面２７との交線が第一回転軸２１と凸状リブ２３との間に存在するように第二回転軸４１が位置されることが必要となる。すなわち第一支持部材４０とベース部材２０のベース部材可動対向面２７で作られる角度が９０度未満となるように第二回転軸４１が位置されることが条件となる。  
【００３２】
そして次に図６（ｂ）の状態から図６（ｃ）の状態を経て図６（ｄ）の状態となる動きについて説明する。まず図６（ｂ）の状態、つまり一定角度で固定された可動部材３０をさらに紙面反時計回りに回転させる方向で傾かせていくと、第一支持部材４０は自重により紙面時計回りに回転し、これによって第二支持部材５０は第一支持部材４０の他端４６から一定距離Ｐ離れた第一支持部材ベース対向面４５側の面によって回転を規制され、且つ他端をベース部材２０のベース部材可動対向面２７に当接し、摺動しながら第一回転軸２１の方向へと進む、これが図６（ｃ）の状態である。そして第二支持部材５０がベース部材２０に形成された第一凹溝２２の位置まで移動すると図６（ｄ）に示されるように第二支持部材５０は自重によって自由端部５２から第一凹溝２２へ入り込む状態となる。  
【００３３】
この図６（ｄ）の状態にて可動部材３０は最も開いた状態となる。この時、ベース部材２０に形成された二本の開口溝２６に挿入された第一支持部材４０から延出する二本のリブ状の係止片４２の係止片端部４３は開口溝周辺に当接しており、係止片４２の開口溝２６における摺動は規制され、これによって可動部材３０は図６（ｄ）の状態以上に開く、つまり紙面反時計回りに傾くことが規制された状態となっており、これによって、可動部３０が規制された角度以上に開き電気機器本体に衝突して操作部およびディスプレイ部が損傷するのを防ぐことが可能となる。  
【００３４】
そしてこの状態から可動部材３０を閉じる方向に傾ける、つまり第一回転軸２１を支点として紙面時計回りに回転する方向で傾かせていくと、第一支持部材４０は第二回転軸４１を中心として紙面反時計回りに回転し、第一支持部材ベース対向面４５側の端部の一部はベース部２０のベース部材可動対向面２７に当接しながら第一回転軸２１から遠ざかる方向、すなわち紙面右方向へと移動を開始し初め、これとほぼ同時に第二支持部材５０が第一凹溝２２から抜け出る際には第二支持部材５０の移動方向の面が第一凹溝２２の第一回転軸側とは反対の角部２２１に当接し、これによって第二支持部材５０は紙面時計回りに回転した状態で第一回転軸２１から離れる方向へ進んでいくこととなる。そして第一支持部材４０の端部は、図１および図７に示された第一支持部材４０の幅とほぼ等しい二つの第二支持部材嵌合穴４４の間隔で形成され凸状リブ２３の長手方向に垂直な方向で且つ高さが凸状リブ２３よりも高く設定された干渉防止凸部２５にテーパー２９に沿って乗り上げることとなる。この際、可動部材３０が閉じる方向に傾いていることにより、第二支持部材５０は紙面時計回りの回転をしつつ第一回転軸２１から離れる方向に移動し、凸状リブ２３に衝突することはあっても、凸状リブ２３によって進行を妨げられることなく移動されることとなる。また第一支持部材４０の他端４６も干渉防止凸部２５により凸状リブよりも高い位置を移動し、凸状リブ２３に衝突することなくスムーズに移動する。  
【００３５】
この後、本実施例においては第一支持部材４０および第二支持部材５０はもう一つの凸状リブ２３をスムーズに通過し、再び図６（ａ）に示す初期状態である可動部材３０がベース部材２０に重なり閉じた状態となる。  
【００３６】
このように本多段階開閉装置は、少ない部品点数、容易な部品形状および容易な組立てにもかかわらず、可動部を容易に開閉および一定角度で固定することが可能となる。また、開閉角度および開閉の段階数においても凸状リブ２３の数量および間隔の設定を変えることにより自由に対応することが可能となる。  
【００３７】
なお、本実施例においては、第一回転軸２１をベース部材２０および可動部材３０に嵌合させ、第二回転軸４１を第一支持部材４０に形成し、第三回転軸を第二支持部材５０に形成したが、この限りではなく、第一回転軸２１を可動部材３０またはベース部材２０に形成し、第二回転軸４１を可動部材３０に形成するか又は第二回転軸４１を別部品とする、そして第三回転軸を第一支持部材４０に形成するか第三回転軸を別部品とすることも可能である。また、干渉防止凸部についても本実施例においてはベース部材２０に形成したが、この限りではなく、第一支持部材４０に形成あるいは、ベース部材２０と第一支持部材
４０の両者に形成してもよい、そして形状についてもリブ形状に限るものではなく、可動部材３０が閉じられる際に第一支持部材４０の自由端が凸状リブ２３を越えることができるものであればよい。さらに可動部材３０が所定の角度で確実に固定されるために第一支持部材４０の他端４６がベース部材２０のベース部材可動対向面２７に荷重を受けて強制的に当接されるように弾性部材を本装置に組込むことも可能である。例えば、それは両端が角度を有してコイル部から延出したトーションバネであり、前記両端の一端を可動部材３０に係止し、他端を第一支持部材４０に係止し、コイル部を係止用の溝等が設けられた第二回転軸４１に係止することによって図３における第一支持部材４０には紙面時計回りに回転させる荷重が加わり所定の角度における可動部３０の固定がより確実なものとなる。
【産業上の利用可能性】
【００３８】
この発明は、操作部およびディスプレイ部が段階的に角度を有して傾き、操作者にとって使い易い角度に設定すること、及び一定角度の設定を解除し他の角度に再度設定すること、及び操作部およびディスプレイ部を閉じた状態にすることが容易に可能であることが必要とされる電気機器に利用可能である。
【符号の説明】
【００３９】
１０    多段式開閉装置  ２０    ベース部材  ２１    第一回転軸（第一の支点）  ２１１  第一回転軸嵌合部  ２２    第一凹溝  ２２１  角部  ２３    凸状リブ  ２４    第二凹溝  ２４１  第一回転軸側入口角部  ２５    干渉防止凸部  ２６    開口溝  ２７    ベース部材可動対向面  ２８    テーパー  ３０    可動部材  ３１    操作パネル  ３２    ディスプレイ  ３３    第一回転軸嵌合穴  ３４    第一支持部材嵌合穴  ３５    可動部材ベース対向面  ４０    第一支持部材  ４１    第二回転軸（第二の支点）  ４２    係止片  ４３    係止片端部  ４４    第二支持部材嵌合穴  ４５    第一支持部材ベース対向面  ４６    他端  ５０    第二支持部材  ５１    第三回転軸（第三の支点）  ５２    自由端部  １００  固定部  １０１  可動部  １０２  一軸  １０３  軸  １０４  可動支持部  １０５  端部  １０６  案内凹部  １０７  第一ストッパー凹部  １０８  第二ストッパー凹部  １０９  スロープ  １１０  扉用軸  １１１  開閉扉  １１２  溝部  １１３  水平リブ  
【図１】
2010282988.tif 000003
【図２】
2010282988.tif 000004
【図３】
2010282988.tif 000005
【図４】
2010282988.tif 000006
【図５】
2010282988.tif 000007
【図６】
2010282988.tif 000008
【図７】
2010282988.tif 000009
【図８】
2010282988.tif 000010
【図９】
2010282988.tif 000011
【図１０】
2010282988.tif 000012
【図１１】
2010282988.tif 000013